(57)【特許請求の範囲】
【請求項１】
魚群探知機から送信されるエコー情報を表示可能であり、釣人の上腕部に装着可能な携帯型の釣り情報表示装置であって、
電源を内蔵可能なケースと、
外部から視認可能に前記ケース内に配置された表示ユニットと、
前記ケース内に設けられ、前記ケースの周囲の外気の気圧を測定可能な気圧センサと、
前記気圧センサに対向して配置され前記気圧に応じて変形する変形部と、前記変形部の周囲に一体形成され前記ケースに着脱自在に密着する装着部と、を有し、前記気圧センサを密閉する弾性体製のシール部材と、
前記エコー情報と前記気圧センサで得られた気圧とを前記表示ユニットとに表示させる表示制御部と、
を備えた釣り情報表示装置。
【請求項２】
前記ケースは、
前記気圧センサを収納可能なセンサ収納空間と、
前記センサ収納空間と連通口を有する隔壁を挟んで配置され、前記シール部材を収納可能なシール収納空間と、を有する、請求項１に記載の釣り情報表示装置。
【請求項３】
前記シール収納空間は、円柱状に外部に開口する空間であり、
前記シール部材の装着部は、筒状であり前記シール収納空間の内周面に密着し、前記変形部は、前記シール収納空間の開口側で前記装着部と一体形成されている、請求項２に記載の釣り情報表示装置。
【請求項４】
前記変形部は、前記シール部材でシールされる空間の気圧が前記外気の気圧に応じて変動するように変形可能である、請求項３に記載の釣り情報表示装置。
【請求項５】
前記変形部は、前記装着部の中心を通る断面視波形でかつ平面視同芯円状の凹凸形状に形成されている、請求項３又は４に記載の釣り情報表示装置。
【請求項６】
外部に糸長データを送信可能な釣り用リールから前記糸長データを受信する第１受信部をさらに備え、
前記表示制御部は、受信した前記糸長データを前記エコー情報の水深に応じた位置で前記表示ニットに表示させる、請求項１から５のいずれか１項に記載の釣り情報表示装置。
【請求項７】
外部に釣り糸に作用する張力データを送信可能な釣り用リールから前記張力データを受信する第２受信部をさらに備え、
前記表示制御部は、受信した前記張力データを前記表示ユニットに表示させる、請求項１から６のいずれか１項に記載の釣り情報表示装置。
【請求項８】
前記ケースは、前記センサ収納空間内において前記連通口の外周側に形成された環状突起を有し、
前記シール部材は、前記装着部が前記センサ収納空間の内周面と前記環状突起との間に装着されることによって位置決めされている、
請求項３に記載の釣り情報表示装置。
【発明の詳細な説明】
【技術分野】
【０００１】
本発明は、情報表示装置、特に、魚群探知機から得られるエコー情報を表示可能な釣り情報表示装置に関する。
【背景技術】
【０００２】
釣り船に搭載された魚群探知機から得られたエコー画像を釣り人が釣りをしている場所で見ることができる釣り情報表示装置が従来知られている（例えば、特許文献１参照）。従来の釣り情報表示装置では、リールから得られる仕掛けの水深と、魚群探知機で得られる魚の群れている棚位置及び漁場の海底の水深を示すエコー画像と、を表示している。仕掛けの水深は、エコー画像の水深に応じた位置に配置される。
【０００３】
このように、釣り人が釣りをしている場所で、画像及び仕掛けの位置を知ることができると、釣り対象の獲物が群れている領域と仕掛けの位置とが一目瞭然となる。この結果、仕掛けを棚位置に確実に配置することができ、釣果に大きな影響を及ぼす。
【０００４】
釣果に影響する因子としてはその他にも種々考えられる。例えば、釣りをしている場所の気圧が釣果に影響を与えることがある。従来、気圧を測定する場合、気圧センサの検出面に外気を導入するための通気孔を設けている。しかし、海水が付着することがある釣り情報表示装置には通気孔を設けることはできない。そこで、センサケースにより構成された密閉空間内に気圧センサを配置する技術（例えば、特許文献２参照）を採用することが考えられる。従来のセンサケースは、天井部に窓を設け、窓をセンサケースと別の材質の可撓性薄膜で密閉している。センサケースの外側は、モールド部によりシールされている。
【先行技術文献】
【特許文献】
【０００５】
【特許文献１】特開２００５−１６０４２１号公報
【特許文献２】特開２００５−３０７８９６号公報
【発明の概要】
【発明が解決しようとする課題】
【０００６】
前記従来の構成では、モールド部によりシールされたセンサケースにより気圧センサが密閉空間内に配置されている。このため、気圧センサを装着した後にセンサケースを配置し、さらにモールド部を形成しなければならない。したがって気圧センサの密閉空間を容易に形成できない。
【０００７】
本発明の課題は、釣り情報表示装置において、気圧センサを設けても気圧センサの密閉空間を容易で形成できるにようにすることにある。
【課題を解決するための手段】
【０００８】
発明１に係る釣り情報表示装置は、魚群探知機から送信されるエコー情報を表示可能な携帯型の釣り情報表示装置である。釣り情報表示装置は、電源を内蔵可能なケースと、表示ユニットと、気圧センサと、シール部材と、を備えている。表示ユニットは、外部から視認可能にケース内に配置されている。気圧センサは、ケース内に設けられ、ケースの周囲の外気の気圧を測定可能である。シール部材は気圧センサを密閉する弾性体製である。シール部材は、気圧センサに対向して配置され気圧に応じて変形する変形部と、変形部の周囲に一体形成されケースに着脱自在に密着する装着部と、を有する。表示制御部は、エコー情報と気圧センサで得られた気圧とを表示ユニットとに表示させる。
【０００９】
この釣り情報表示装置では、表示ユニットに魚群探知機から送信されエコーデータが表示される。また、気圧センサで検出された外気圧が表示ユニットに表示される。この気圧センサは、弾性体製のシール部材により密閉され、気圧センサへの液体の浸入が防止される。気圧が変動すると、変形部が変形してシールの内部の気圧が外気の気圧に応じて変化する。ここでは、変形部の周囲に一体形成された装着部が着脱自在にケースに密着する。このため、シール部材をケースに装着するだけで、気圧センサを密閉する空間を形成することができる。したがって、気圧センサを設けても気圧センサの密閉空間を容易で形成できる。
【００１０】
発明２に係る釣り情報表示装置は、発明１に記載の装置において、ケースは、気圧センサを収納可能なセンサ収納空間と、センサ収納空間と連通口を有する隔壁を挟んで配置され、シール部材を収納可能なシール収納空間と、を有する。この場合には、気圧センサが収納されるセンサ収納空間ではなく、センサ収納空間と隔壁を挟んで配置されたシール収納空間にシール部材が配置される。このためシール部材を装着しやすくなり、密閉空間をさらに形成しやすくなる。
【００１１】
発明３に係る釣り情報表示装置は、発明２に記載の装置において、シール収納空間は、円柱状に外部に開口する空間である。シール部材の装着部は、筒状でありシール収納空間に密着し、変形部は、シール収納空間の開口側で装着部と一体形成されている。この場合には、シール収納空間が円柱状の空間であるので、シール部材でシールしやすくなる。また、変形部が開口側で装着部と一体形成されているので、変形部がより変形しやすくなる。
【００１２】
発明４に係る釣り情報表示装置は、発明３に記載の装置において、変形部は、シール部材でシールされる空間の気圧が外気の気圧に応じて変動するように変形可能である。この場合には、シール部材の変形により気圧を精度良く検出できる。
【００１３】
発明５に係る釣り情報表示装置は、発明３又は４に記載の装置において、変形部は、装着部の中心を通る断面視波形でかつ平面視同芯円状の凹凸形状に形成されている。この場合には、変形部が複数の同芯円状の凹凸形状であるので、気圧の変動により変形しやすくなる。
【００１４】
発明６に係る釣り情報表示装置は、発明１から５のいずれかに記載の装置において、外部に糸長データを送信可能な釣り用リールから糸長データを受信する第１受信部をさらに備える。表示制御部は、受信した糸長データをエコー情報の水深に応じた位置で表示ニットに表示させる。この場合には、仕掛けの水深もエコー情報とともに表示されるので、仕掛けを棚位置に配置しやすくなる。
【００１５】
発明７に係る釣り情報表示装置は、発明１から６のいずれかに記載の装置において、外部に釣り糸に作用する張力データを送信可能な釣り用リールから張力データを受信する第２受信部をさらに備える。表示制御部は、受信した張力データを表示ユニットに表示させる。この場合には、釣り糸に作用する張力が表示ユニットに表示されるので、釣り糸を巻き取るときに釣り糸の切断をさらに防止できる。
【発明の効果】
【００１６】
本発明によれば、装着部が着脱自在にケースに密着するため、シール部材をケースに装着するだけで、気圧センサを密閉する空間を形成することができる。このため、気圧センサを設けても気圧センサの密閉空間を容易で形成できる。
【図面の簡単な説明】
【００１７】
【図１】本発明の一実施形態が採用された釣り情報表示システムのブロック図。
【図２】本発明の一実施形態による魚探モニタを上腕部に装着した状態を示す図。
【図３】魚探モニタの斜視図。
【図４】その平面図。
【図５】その背面図。
【図６】その分解斜視図。
【図７】図５のVII−VII断面図。
【図８】気圧センサ収納部分の分解斜視図。
【図９】シール部材の平面図。
【図１０】図９のＸ−Ｘ断面図。
【図１１】他の実施形態の図１に相当する図。
【発明を実施するための形態】
【００１８】
本発明の一実施形態が採用された釣り情報表示システムは、図１に示すように、電動リール１０と、電動リール１０と送受信可能に配置された本発明の一実施形態による携帯型の魚探モニタ（釣り情報表示装置の一例）６０と、魚群探知機８０とを備えている。
【００１９】
電動リール１０と魚探モニタ６０とは、例えばＺｉｇＢｅｅ（登録商標）等の規格を用いて無線により接続されている。また、魚探モニタ６０は、魚群探知機８０から、たとえば、特定小電力方式の無線通信により情報を受信する。なお、魚探モニタ６０は、複数の魚群探知機８０が周囲にあるとき、混信を防止するため、最も強い電波だけを受信するようになっている。
【００２０】
電動リール１０は、例えば、釣り船の船縁に竿受けにより装着された釣り竿に取り付けられる。電動リール１０は、公知のものであり、ハンドル又はモータによりスプールを糸巻取方向に回転させることができる。電動リール１０には、水深表示制御やモータ駆動制御等を行うＣＰＵ、ＲＡＭ、ＲＯＭ、Ｉ／Ｏインターフェイス等を含むマイクロコンピュータや液晶駆動回路からなるリール制御部２０が設けられている。リール制御部２０には、リール操作部２１と、スプールセンサ２３と、ポテンショメータ２５と、が接続されている。また、リール制御部２０には、ブザー２７と、リール表示部２９と、記憶部３１と、ＰＷＭ駆動回路３３と、各種の入出力を行う他の入出力部と、が接続されている。
【００２１】
リール操作部２１は、複数の入力ボタンを有し、表示のオンオフ及び棚位置の設定等を各種の設定を行うために設けられている。スプールセンサ２３は、スプールの回転速度及び方向を検出するために設けられている。ポテンショメータ２５は、モータ３７の回転を複数段階に制御するために設けられている。ブザー２７は、各種の警報を出力するために設けられている。リール表示部２９は、例えば液晶ディスプレイからなり、仕掛けの水深情報、棚位置、及び制御モードの設定値等を表示するために設けられている。記憶部３１は、設定された棚位置、スプール回転数と糸長との関係データ等の各種のデータを記憶する。ＰＷＭ駆動回路３３は、モータ３７をＰＷＭ駆動するＦＥＴを含んでいる。
【００２２】
さらに、リール制御部２０には、魚探モニタ６０と情報をやり取りするリール通信部（第１受信部の一例）３５が接続されている。リール通信部３５は、前述したように無線通信によって、魚探モニタ６０に設けられたモニタ通信部４２と仕掛けの水深を含む各種の情報を送信又は受信する。
【００２３】
携帯型の魚探モニタ６０は、図２に示すように、例えば、釣人Ｐの上腕部Ａに着脱自在に取付可能な取付ケース７０内に装着して使用される。取付ケース７０は、魚探モニタ６０を収納可能な透明な袋部７０ａを有している。
【００２４】
図１において、魚探モニタ６０は、魚群探知機８０から得られる漁場の底の水深及び魚群の位置を示す棚位置のエコー情報をそのままエコー表示可能である。また、魚探モニタ６０は、電動リール１０から得られる仕掛けの水深データをエコー表示された底の水深や棚位置とともに水深に応じた位置に図形により表示することができる。さらに、魚探モニタ６０は、棚停止のオンオフや棚位置の設定、さそいモードのオンオフやさそい幅の設定、オートさそいのオンオフ、モータの糸繰り出し方向の回転により釣り糸を繰り出す糸送りのオンオフ、アタリ検知のオンオフ等の電動リール１０に関する設定操作を行うことができる。なお、魚探モニタ６０は、電動リール１０と接続しないで単独使用することもできる。この場合は、魚群探知機８０からの棚位置や底位置を表示する魚群探知機８０の遠隔モニタとして機能する。
【００２５】
魚探モニタ６０には、エコー情報及び仕掛けの水深情報の表示制御を行うＣＰＵ、ＲＡＭ、ＲＯＭ、Ｉ／Ｏインターフェイス等を含むマイクロコンピュータや液晶駆動回路からなるモニタ表示制御部（表示制御部の一例）４０が設けられている。モニタ表示制御部４０には、リール通信部３５及び魚群探知機８０と無線通信するモニタ通信部４２が接続されている。また、モニタ表示制御部４０には、モニタ操作部４３と、気圧センサ４４と、モニタ表示部（表示ユニットの一例）４５と、記憶部４６と、他の入出力部とが接続されている。モニタ表示制御部４０及びモニタ表示部４５は、リチウムイオン充電池等の二次電池からなる電源４７により動作する。
【００２６】
モニタ操作部４３は、モニタ表示部４５の表示制御等の各種の操作を行う。モニタ操作部４３は、図３及び図４に示すように、モニタ表示部４５の下部に横方向に並べて配置された４個の第１ボタン４３ａ，第２ボタン４３ｂ，第３ボタン４３ｃ，及び第４ボタン４３ｄを有している。左側の第１ボタン４３ａは表示のオンオフ及び操作を決定するボタンである。第２ボタン４３ｂは、キャンセルや戻るために使用するボタンである。第３ボタン４３ｃは、アップ操作のためのボタンである。第４ボタン４３ｄは、ダウン操作のためのボタンである。これらの第１ボタン４３ａ〜第４ボタン４３ｄを操作することによって、各種の設定操作や表示操作を行うことができる。
【００２７】
また、モニタ操作部４３では、魚探モニタ６０側の制御だけでなく、電動リール１０側の制御操作を行うことができる。たとえばモニタ操作部４３の操作により、仕掛けの棚位置の設定、仕掛けの誘い動作の設定等を行って、モータ３７のオンオフ制御を行うことができる。
【００２８】
モニタ表示部４５は、ドットマトリックス方式の液晶ディスプレイであって、例えば、４インチのカラーＴＦＴ方式の液晶ディスプレイである。モニタ表示部４５は、電動リール１０のリール表示部２９で表示可能な仕掛けの水深情報と、魚群探知機８０で得られた底位置及び棚位置のエコー情報を表示可能である。モニタ表示部４５は、魚探画面のときは、図４に示すように、左側に配置された３桁のドット数字表示の仕掛けの水深表示領域４５ａと、水深表示領域４５ａの下方に配置されたドット数字表示の気圧表示領域４５ｂと、気圧表示領域４５ｂの下方に配置された仕掛回収時間表示領域４５ｃとを有している。また、モニタ表示部４５の画面のほぼ全体が、海底の水深及び魚が群れている棚位置のエコー情報を表示するエコー画像表示領域４５ｄとなっている。
【００２９】
記憶部４６には、モニタ表示制御部４０において使用される各種のデータが記憶されている。気圧センサ４４は、例えば特定用途の半導体集積回路を用いた半導体圧力センサであり、デジタルで気圧を出力できる。
【００３０】
図３、図４，図５及び図６に示すように、魚探モニタ６０は、電源４７を内蔵可能なケース５０を備えている。このケース５０内に外部から視認可能に配置されたモニタ表示部４５と、モニタ表示制御部４０と、が設けられている。
【００３１】
ケース５０は、図６に示すように、上ケース５２と、下ケース５３と、を有している。上ケース５２には、矩形の表示開口５２ａ及び長円形の操作開口５２ｂが形成された筐体を半割した形状のＡＢＳ（アクリロニトリル・ブタジエン・スチレン共重合合成樹脂）等の合成樹脂製の部材である。上ケース５２の上面は僅かに凹んでおり、そこには、間に防水両面テープ５４を挟んで透明な表示パネル５５が接着されている。表示パネル５５の裏面は、モニタ表示部４５が露出する部分を除いて例えば黒色に印刷されている。表示開口５２ａに面してケース５０の内部に液晶ディスプレイからなるモニタ表示部４５が配置されている。操作開口５２ｂには、モニタ操作部４３が配置されている。
【００３２】
モニタ表示部４５の下側には、回路基板５６が配置されている。回路基板５６の下面には、モニタ表示制御部４０が搭載されている。また、回路基板５６の下面には、ブザー２７とカメラ５９とが固定されている。回路基板５６の図６左端下面には、充電用及びデータ転送用の接続端子６１が搭載されている。回路基板５６の下側には、基板ホルダ５７が配置されている。基板ホルダ５７は、下ケース５３に２本のネジ６８により固定されている。基板ホルダ５７には、回路基板５６とモニタ表示部４５が固定されている。
【００３３】
下ケース５３は、上ケース５２と同じ材質である。下ケース５３は、図７及び図８に示すように、気圧センサ４４を収納する概ね正方形に凹んだセンサ収納空間５３ａを有している。気圧センサ４４は、センサ基板５８の下面に搭載されている。センサ基板５８の下面には、カメラ５９用のフラッシュとしての図示しない発光ダイオード及び照度センサが装着されている。照度センサは、照度に応じてモニタ表示部４５のバックライトを制御するために使用される。センサ基板５８は、センサ収納空間５３ａの上方で下ケース５３に封止剤により固定されている。
【００３４】
気圧センサ４４の下面は、シール部材４８によりシールされている。気圧センサ４４の検出面である下面には、図示しない検出孔が形成されている。気圧センサ４４の下面には、検出孔に連通する通気孔６２ａを有する防水両面テープ６２が貼られており、防水両面テープ６２によりセンサ収納空間５３ａの底部５３ｂに固定されている。底部５３ｂには、通気孔６２ａに連通する連通口５３ｅが形成されている。センサ収納空間５３ａの図８左方には、電源４７を収納される電源収納空間５３ｈが設けられている。電源収納空間５３ｈ側の下ケース５３の端面には、回路基板５６に配置された接続端子６１が露出する端子開口５３ｉが形成されている。端子開口５３ｉは、端子キャップ６３により塞がれている。端子キャップ６３は、端子開口５３ｉに弾性係止されており、端子開口５３ｉに対して着脱可能である。端子キャップ６３は、金属製のフレーム部材と、弾性を有する軟質合成樹脂製の外装部材と、を有している。
【００３５】
センサ収納空間５３ａの下方には、図７に示すように、シール収納空間５３ｄが形成されている。シール収納空間５３ｄは、連通口５３ｅ及び底部５３ｂが形成された隔壁５３ｃを挟んで配置されている。シール収納空間５３ｄは、外部に開口する円柱状の空間である。シール収納空間５３ｄには、連通口５３ｅの外周側にシール部材４８を位置決めするための環状突起５３ｆが形成されている。
【００３６】
シール部材４８は、図７，図８，図９及び図１０に示すように、例えば、アクリルゴム、ニトリルゴム、クロロプレンゴム、シリコーンゴム等の弾性体製の部材である。シール部材４８は、気圧センサ４４に対向して配置される変形部４８ａと、変形部４８ａと一体形成された装着部４８ｂと、を有している。装着部４８ｂは、筒状でありシール収納空間５３ｄの内周面５３ｇに密着する。変形部４８ａは、シール収納空間５３ｄの開口側で装着部４８ｂと一体形成されている。変形部４８ａは、シール部材４８でシールされるシール収納空間５３ｄ及び連通口５３ｅの気圧が外気の気圧と実質的に同じになるように変形可能である。図７に示すように、変形部４８ａは装着部４８ｂより薄肉であり、筒状の装着部４８ｂの中心を通る断面視波形でかつ平面視同芯円状の凹凸形状に形成されている。
【００３７】
下ケース５３のセンサ収納空間５３ａ形成部分を含む下面は、他の部分より凹んで形成されている。この凹んだ部分には、防水両面テープ６４によりバックパネル６６が固定されている。防水両面テープ６４には、シール部材４８用の円形開口６４ａと、発光ダイオード用の円形開口６４ｂと、照度センサ用の矩形開口６４ｃと、カメラ５９の円形開口６４ｄとが形成されている。円形開口６４ａは、シール部材４８の外径よりわずかに小さい。バックパネル６６には、シール部材４８用の円形開口６６ａと、発光ダイオード用の円形開口６６ｂと、照度センサ用の矩形開口６６ｃと、カメラ５９の円形開口６６ｄとが円形に形成されている。円形開口６６ａは、連通口５３ｅと略同じ直径である。
【００３８】
このように構成された魚探モニタ６０では、第１ボタン４３ａにより表示がオンすると、図４に示すような魚探画面が表示される。この魚探画面では、前述したように、魚群探知機８０で得られた海底の水深及び棚位置を示すエコー情報が表示される。また、気圧センサ４４で計測された気圧が表示される。さらに、電動リール１０等の釣り用リールと接続されると、仕掛けの水深を示す図形がエコー情報の水深に対応する位置に表示される。また、仕掛けの水深が数値でも表示される。
【００３９】
＜特徴＞
（Ａ）魚探モニタ６０は、魚群探知機８０から送信されるエコー情報を表示可能な装置である。魚探モニタ６０は、電源４７を内蔵可能なケース５０と、モニタ表示部４５と、気圧センサ４４と、シール部材４８と、を備えている。モニタ表示部４５は、外部から視認可能にケース５０に配置されている。気圧センサ４４は、ケース５０内に設けられ、ケース５０の周囲の外気の気圧を測定可能である。シール部材４８は弾性体製である。シール部材４８は、気圧センサ４４に対向して配置され気圧に応じて変形する変形部４８ａと、変形部４８ａと一体形成されケース５０に着脱自在に密着する装着部４８ｂと、を有する。シール部材４８は、気圧センサ４４を密閉する。モニタ表示制御部４０は、エコー情報と気圧センサ４４で得られた気圧とをモニタ表示部４５に表示させる。
【００４０】
この魚探モニタ６０では、モニタ表示部４５に魚群探知機８０から送信されエコーデータが表示される。また、気圧センサ４４で検出された気圧がモニタ表示部４５に表示される。この気圧センサ４４は、弾性体製のシール部材４８により密閉され、気圧センサ４４への液体の浸入が防止される。外気の気圧が変動すると、変形部４８ａが変形してシール部材４８の内部の気圧が外気の気圧に応じて変化する。ここでは、変形部４８ａの周囲に一体形成された装着部４８ｂが着脱自在にケース５０に密着する。このため、シール部材４８をケース５０に装着するだけで、気圧センサ４４を密閉する空間を形成することができる。したがって、気圧センサ４４を設けても気圧センサの密閉空間を容易で形成できる。
【００４１】
（Ｂ）魚探モニタ６０において、ケース５０は、気圧センサ４４を収納可能なセンサ収納空間５３ａと、センサ収納空間５３ａと連通口５３ｅを有する隔壁５３ｃを挟んで配置され、シール部材４８を収納可能なシール収納空間５３ｄと、を有する。この場合には、気圧センサ４４が収納されるセンサ収納空間５３ａではなく、センサ収納空間５３ａと隔壁５３ｃを挟んで配置されたシール収納空間５３ｄにシール部材４８が配置される。このためシール部材４８を装着しやすくなり、密閉空間をさらに形成しやすくなる。
【００４２】
（Ｃ）魚探モニタ６０において、シール収納空間５３ｄは、円柱状に外部に開口する空間である。シール部材４８の装着部４８ｂは、筒状でありシール収納空間５３ｄに密着し、変形部４８ａは、シール収納空間５３ｄの開口側で装着部４８ｂと一体形成されている。この場合には、シール収納空間５３ｄが円柱状の空間であるので、シール部材４８でシールしやすくなる。また、変形部４８ａが開口側で装着部４８ｂと一体形成されているので、変形部４８ａがより変形しやすくなる。
【００４３】
（Ｄ）魚探モニタ６０において、変形部４８ａは、シール部材４８でシールされる空間の気圧が外気の気圧に応じて変動するように変形可能である。この場合には、シール部材４８の変形により気圧を精度良く検出できる。
【００４４】
魚探モニタ６０において、変形部４８ａは、装着部４８ｂの中心を通る断面視波形でかつ平面視同芯円状の凹凸形状に形成されている。この場合には、変形部４８ａが複数の同芯円状の凹凸形状であるので、気圧の変動により変形しやすくなる。
【００４５】
（Ｅ）魚探モニタ６０において、外部に糸長データを送信可能な釣り用リールから糸長データを受信するモニタ通信部４２をさらに備える。モニタ表示制御部４０は、受信した糸長データをエコー情報の水深に応じた位置でモニタ表示部４５に表示させる。この場合には、仕掛けの水深もエコー情報とともに表示されるので、仕掛けを棚位置に配置しやすくなる。
【００４６】
＜他の実施形態＞
以上、本発明の一実施形態について説明したが、本発明は上記実施形態に限定されるものではなく、発明の要旨を逸脱しない範囲で種々の変更が可能である。
【００４７】
（ａ）前記実施形態では、魚探モニタ６０に電動リール１０から送信された仕掛けの水深を表示させたが、本発明はこれに限定されない。
【００４８】
例えば、図１１に示すように、釣り用リールのスプールに巻き付けられた釣り糸に作用する張力を魚探モニタ６０で表示するようにしてもよい。この場合、電動リール１０にモータ３７又はスプールに作用するトルクを検出可能なトルクセンサ３６を電動リール１００に設けてトルクを検出する。このトルクの検出値と、仕掛けの水深を求める際に算出可能な糸巻径とにより釣り糸に作用する張力を求める。そして、リール通信部（第２通信部の一例）３５を介して釣り糸に作用する張力を魚探モニタ６０に送信する。この張力の情報を魚探モニタ６０が受信すると、その値をモニタ表示制御部４０がモニタ表示部４５にさせてもよい。この場合には、釣り糸に作用する張力が表示ユニットに表示されるので、釣り糸を巻き取るときに、釣り糸の切断を確実に防止できる。なお、モータ３７に流れる電流によりトルクを検出してもよい。
【００４９】
（ｂ）前記実施形態では、釣り用リールとして電動リール１０を開示した。しかし、釣り用リールは、電動リールに限定されない。仕掛けの水深又は釣り糸に作用する張力を送信可能な釣り用リールであれば、手巻きの釣り用リールでもよい。
【００５０】
（ｃ）前記実施形態では、シール部材４８の変形部４８ａを同芯円状の凹凸形状にしたが、本発明はこの形状に限定されない。例えば、別素材の可撓性薄膜素材を装着部と例えばインサート成形により一体形成してもよい。
【符号の説明】
【００５１】
４０    モニタ表示制御部
４４    気圧センサ
４５    モニタ表示部
４７    電源
４８    シール部材
４８ａ  変形部
４８ｂ  装着部
５０    ケース
５３ａ  センサ収納空間
５３ｂ  底部
５３ｃ  隔壁
５３ｄ  シール収納空間
５３ｅ  連通口
５３ｇ  内周面
６０    魚探モニタ（釣り情報表示装置の一例）
８０    魚群探知機
【図１】
0005566700.tif 000002
【図２】
0005566700.tif 000003
【図３】
0005566700.tif 000004
【図４】
0005566700.tif 000005
【図５】
0005566700.tif 000006
【図６】
0005566700.tif 000007
【図７】
0005566700.tif 000008
【図８】
0005566700.tif 000009
【図９】
0005566700.tif 000010
【図１０】
0005566700.tif 000011
【図１１】
0005566700.tif 000012